(57)【特許請求の範囲】
【請求項１】
上面視矩形状の底面における四方の外周縁からそれぞれ側面を立設させて上方に開口した函状に炉箱を形成すると共に、縦片と縦片の下端を外方に屈曲させた横片とで断面Ｌ形アングル状に下枠材を形成し、横片の外端を炉箱の側面に当接させるようにして上記下枠材を上記炉箱の底面における隅部に亘って配置し、四方を囲む下枠材の縦片の内周面内に嵌め込ませて底面用ヒータを炉箱の底面上に配置し、下枠材の縦片の外周面と炉箱の側面との間に嵌め込ませると共に下枠材の横片上に載置させて側面用ヒータを炉箱の側面に沿わせて配置したことを特徴とする堀ごたつ。
【請求項２】
側面用ヒータの上端を保持する上枠材を炉箱の側面に配設したことを特徴とする請求項１に記載の堀ごたつ。
【請求項３】
側面用ヒータ及び上枠材の内周面を下枠材の上方位置に位置させたことを特徴とする請求項２に記載の堀ごたつ。
【発明の詳細な説明】
【０００１】
【発明の属する技術分野】
本発明は、炉箱の底面及び側面にヒータを配置した堀ごたつに関する発明である。
【０００２】
【従来の技術】
従来から、上面視矩形状の底面１ａの外周縁から側面１ｂを立設させて上方に開口した矩形函状に炉箱１を形成し、上記炉箱１の底面１ａ及び側面１ｂにそれぞれヒータを配置して成る堀ごたつは、図４及び図５に示すように、まず、炉箱１の底面１ａに底面用ヒータ５を配置し［図５（ａ）］、次いで、上記底面用ヒータ５の外周縁上に側面用ヒータ６を載置してこの側面用ヒータ６を炉箱１の側面１ｂに沿わせて配置することで構成されていた［図５（ｂ）］。この例の底面用及び側面用ヒータ５，６は、それぞれ炉箱１の底面１ａまたは側面１ｂを覆う面板１０の裏面にヒータ部１１を配設すると共に上記ヒータ部１１の裏面に断熱材２０を重ねて配設し、更に上記面板１０の裏面における外周縁に桟２１を配設したことでユニット化したものが用いられている。なお、図中１９は炉箱１の上方開口縁に取り付けた蓋受け部材であり、掘りごたつの不使用時に炉箱１の上方開口を閉塞させる覆い板（図示せず）を載設させる部材である。
【０００３】
【発明が解決しようとする課題】
このように構成された堀ごたつでは、底面用及び側面用ヒータ５，６を炉箱１内に配設する際に行う位置決め作業が難しいことや、側面用ヒータ６を炉箱１の側面１ｂに固定する際には、側面用ヒータ６を手で支えつつ釘等の固着具１７を打入させるといった施工者の負担になる作業により行われることから、底面用及び側面用ヒータ５，６の炉箱１内への配設にかかる施工の施工性の悪さが指摘されていた。また、底面用及び側面用ヒータ５，６の炉箱１内への配設構造にあっては、底面用ヒータ５の外周縁上に側面用ヒータ６が載置された構造になっており、これは、側面用ヒータ６を炉箱１から取り外さないと底面用ヒータ５を炉箱１から取り外すことができない構造になっているもので、底面用ヒータ５に故障などが生じて取り替えを行う場合には上記底面用ヒータ５の取替作業に手間がかかってしまうといったヒータの取り替えにかかる施工性の悪さも指摘されていた。
【０００４】
本発明は上記の点に鑑みてなされたものであり、底面用及び側面用ヒータの炉箱内への配設にかかる施工性の向上を図ると共に、側面用ヒータを炉箱から取り外すことなしに底面用ヒータのみを炉箱から取り外し可能にしてヒータの取り替えにかかる施工性の向上を図り得る掘ごたつを提供することを課題とするものである。
【０００５】
【課題を解決するための手段】
上記課題を解決するために本発明に係る堀ごたつは、上面視矩形状の底面１ａにおける四方の外周縁からそれぞれ側面１ｂを立設させて上方に開口した函状に炉箱１を形成すると共に、縦片３と縦片３の下端を外方に屈曲させた横片４とで断面Ｌ形アングル状に下枠材２を形成し、横片４の外端を炉箱１の側面１ｂに当接させるようにして上記下枠材２を上記炉箱１の底面１ａにおける隅部に亘って配置し、四方を囲む下枠材２の縦片３の内周面３ａ内に嵌め込ませて底面用ヒータ５を炉箱１の底面１ａ上に配置し、下枠材２の縦片３の外周面３ｂと炉箱１の側面１ｂとの間に嵌め込ませると共に下枠材２の横片４上に載置させて側面用ヒータ６を炉箱１の側面１ｂに沿わせて配置したことを特徴とする。これによると、炉箱１の底面１ａの隅部に下枠材２を配置するにあたっては、下枠材２の横片４の外端を炉箱１の側面１ｂに当接させるようにして行わせることから、上記下枠材２を所定位置（上記炉箱１の底面１ａにおける隅部）に間違いなく容易に配置できるものであり、また、この炉箱１の底面１ａに配置した下枠材２の縦片３によって、炉箱１の底面１ａにおける底面用ヒータ５及び側面用ヒータ６の配置スペースを明確にすることができ、底面用ヒータ５や側面用ヒータ６の位置決めを伴う配置が容易に行え、更には、上記位置決めを伴って配置した側面用ヒータ６にあっては下枠材２の縦片３の外周面３ｂと炉箱１の側面１ｂとの間に嵌め込まれて仮止めが為されるものであり、側面用ヒータ６の本固定時に、施工者に負担となる側面用ヒータ６を手で支えるといった作業を無くすることができ、施工性の向上が図られているのであり、また、炉箱１の底面１ａに配設した底面用ヒータ５は下枠材２の縦片３の内周面３ａ間に配置されると共に、炉箱１の側面１ｂに配設した側面用ヒータ６は下枠材２の縦片３の外周面３ｂと炉箱１の側面１ｂとの間に配置されることから、その構造上、底面用ヒータ５は側面用ヒータ６と上下に重ならないように配置されており、たとえば底面用ヒータ５に故障等が生じて側面用ヒータ６を取り替える際には、底面用ヒータ５は側面用ヒータ６の取外しなしに単体で取り外すことができるものであって、ヒータの取外しにかかる施工性の向上が図られているのである。
【０００６】
また、側面用ヒータ６の上端を保持する上枠材７を炉箱１の側面１ｂに配設したことも好ましい。これによると、下枠材２の縦片３の外周面３ｂと炉箱１の側面１ｂとの間に嵌め込ませて立設した側面用ヒータ６の上端を上枠材７によって保持させることで、この立設した側面用ヒータ６のぐらつきが防止され、高い取付強度を備えさせることができるものであり、これにより、堀ごたつの施工性の更なる向上が図られるのである。
【０００７】
また、側面用ヒータ６及び上枠材７の内周面を下枠材２の上方位置に位置させたことも好ましい。これによると、炉箱１内に底面用及び側面用ヒータ５，６を配設したときには、下枠材２の内面に配置された底面用ヒータ５の上方位置には側面用ヒータ６や上枠材７を位置させないようにでき、炉箱１内から底面用ヒータ５を取り外すときには、側面用ヒータ６や上枠材７が取り外した底面用ヒータ５を干渉させないようにでき、底面用ヒータ５の取り替えがスムーズに行え、ヒータの取り替えにかかる施工性の更なる向上が図られるのである。
【０００８】
【発明の実施の形態】
以下、本発明を添付図面に示す実施形態に基づいて説明する。
【０００９】
図１及び図３に本発明の実施の形態の例を示す。図１には本例の堀ごたつの側面断面図を示し、図２には下枠材の斜視図、及び下枠材を炉箱内に配設した状態の斜視図を示し、図３には上記堀ごたつの分解斜視図を示す。
【００１０】
本例の堀ごたつは、上方開口を床面に開口させた矩形函状の炉箱１の底面１ａ及び側面１ｂにそれぞれヒータを配設して構成されたものである。詳述すると、炉箱１は、上面視矩形状の底面１ａと、上記底面１ａの四方の外周縁からそれぞれ立設させた側面１ｂとで構成された上方開口を有した函状体である。そして、この炉箱１に配設されるヒータは、炉箱１の底面１ａ上に配設される底面用ヒータ５と、炉箱１の側面１ｂに沿って配設される側面用ヒータ６とがある。上記底面用及び側面用ヒータ５，６はそれぞれ、炉箱１の底面１ａまたは側面１ｂを覆う平面板である面板１０の裏面にヒータ部１１を配設すると共に上記ヒータ部１１の裏面に断熱材２０を重ねて配設し、更に上記面板１０の裏面における外周縁に桟２１を配設したことでユニット化したものが用いられている。ここで、ヒータ部１１には面状ヒータが用いられ、この面状ヒータとしては、ＰＣＴヒータ、コードヒータをアルミ均熱板に貼着して構成されたもの、基板にコードヒータを埋設すると共に基板の表面に均熱板を貼着して構成されたもの等、様々なものが使用される。
【００１１】
上述した底面用及び側面用ヒータ５，６を炉箱１内に配置するにあたっては、炉箱１の底面１ａの隅部に亘って下枠材２を配置させることで行わせる。下枠材２は上面視矩形状の矩形枠体であって、詳述すると、この下枠材２は上下に立設した縦片３と上記縦片３の下端を外方に屈曲させた横片４とでＬ型形状の縦断面を有しているものである。そして、この矩形枠体である下枠材２は、その横片４の外端が炉箱１の４面の側面１ｂの内面に亘って沿う形状になっている［図２（ａ）］。この横片４の外端を炉箱１の各側面１ｂに当接させつつ下枠材２を炉箱１内に挿入することで、下枠材２は炉箱１の底面１ａの隅部に亘って配置される［図２（ｂ）］。
【００１２】
この下枠材２が配置された炉箱１の底面１ａにあっては、上記下枠材２の縦片３によって、上記縦片３の内周面３ａにより囲まれた空間である底面用ヒータ設置部１２と、上記縦片３の外周面３ｂと炉箱１の側面１ｂとにより囲まれた空間である側面用ヒータ設置部１３とに２分される。この底面用ヒータ設置部１２及び側面用ヒータ設置部１３はともに上方に開口した空間である。この側面用ヒータ設置部１３は炉箱１の底面１ａの外周縁である隅部に亘って設けられており、また、底面用ヒータ設置部１２はその外周を側面用ヒータ設置部１３によって囲まれた炉箱１の底面１ａの中央部分に設けられるものである。この底面用ヒータ設置部１２には底面用ヒータ５が配置され、側面用ヒータ設置部１３には側面用ヒータ６が配置される。ここで、底面用ヒータ５はその外周縁部分を下枠材２の縦片３の内周面３ａ間に嵌め込ませることで底面用ヒータ設置部１２内に配置され、また、側面用ヒータ６はその下端部分を下枠材２の縦片３の外周面３ｂと炉箱１の側面１ｂとの間に嵌め込ませて下枠材２の横片４上に載置させることで側面用ヒータ設置部１３内に配置される。このとき、側面用ヒータ設置部１３に配置した側面用ヒータ６は、その下端部分が下枠材２の縦片３の外周面３ｂと炉箱１の側面１ｂとの間に嵌め込まれた状態になっていることから、炉箱１の側面１ｂに沿って立設された状態で仮固定がされるのである。
【００１３】
上記側面用ヒータ６は炉箱１の各側面１ｂに沿わせて配置されることから、本例の板状ユニットで構成された側面用ヒータ６にあっては、炉箱１の四方の各側面１ｂに１枚ずつ沿わせるように配置させると共に、隣接する側面用ヒータ６の左右端をそれぞれ直角に突き合わせて上面視で略矩形状に組み合わせるように配置させる。なお、本例では４枚の側面用ヒータ６のうち１枚の側面用ヒータ６に商用電源から給電される配電部１４が設けられ、この配電部１４に給電された電気を他の３枚の側面用ヒータ６及び底面用ヒータ５に配電線１５を介して給電するようにしている。図中１６は側面用ヒータ６の一端に設けた切り欠きであり、これは、側面用ヒータ６の配電部１４に接続させるために底面用ヒータ５から延出させた配電線１５を位置させる部位である。
【００１４】
そして、上述したように下端部分を下枠材２の縦片３の外周面３ｂと炉箱１の側面１ｂとの間に嵌め込ませて仮固定させた側面用ヒータ６は、その上端部分が炉箱１の側面１ｂに配設された上枠材７に釘等の固着具１７を介して固定されて本固定が行われる。詳述すると、この上枠材７は、上面視矩形状の矩形枠体であって、詳述すると、この上枠材７は上下に立設した縦片８と上記縦片８の上端を外方に屈曲させた横片９とで逆Ｌ型形状の縦断面を有しているものである。そして、この矩形枠体である上枠材７は、その横片９の外端が炉箱１の４面の側面１ｂの内面に亘って沿う形状になっており、その横片４の外端を炉箱１の側面１ｂに当接させるようにして炉箱１のそれぞれの側面１ｂに沿わせて配置される。このとき、上枠材７は炉箱１の４方の側面１ｂ間に嵌り込むように配置される。上述したように炉箱１の側面１ｂに配設された上枠材７は、縦片８の外周面８ａと炉箱１の側面１ｂとの間に下方に開口した凹溝状の側面用ヒータ保持部１８を形成させるものであり、上記側面用ヒータ保持部１８に側面用ヒータ６の上端部分を嵌め込ませ、上枠材７の縦片８の内周面８ｂから固着具１７を打入し、側面用ヒータ６を上枠材７に固定することで、ぐらつきを防止して取付強度を向上させた状態にして側面用ヒータ６の本固定が行われるのである。
【００１５】
上述した構成を有する本例の堀ごたつにあっては、下枠材２の縦片３の内周面３ａ間に底面用ヒータ５が配置されると共に下枠材２の縦片３の外周面３ｂと炉箱１の側面１ｂ間に側面用ヒータ６が配置されるといった構造になっていることから、上下方向において底面用ヒータ５と側面用ヒータ６とが重ならないように配置されているのである。これにより、底面用ヒータ５に故障等が生じて側面用ヒータ６を取り替える際にあっても、底面用ヒータ５は側面用ヒータ６の取外しなしに単体で炉箱１から取り外すことができるようになっており、従来技術にある底面用ヒータ５が側面用ヒータ６を取り外してはじめて取り外せるように構成された堀ごたつに比べて、底面用ヒータ５の取外しにかかる施工性の向上が図られているのである。更に言うと、本例の堀ごたつでは下枠材２の上方位置に上枠材７及び側面用ヒータ６を位置させているので、下枠材２間に配置された底面用ヒータ５の上方位置には完全に上枠材７及び側面用ヒータ６が位置しないものであり、つまり炉箱１から底面用ヒータ５を取り外すときに側面用ヒータ６や上枠材７が取り外した底面用ヒータ５に干渉しない構造になっており、底面用ヒータ５の取外しにかかる施工性の更なる向上が図られているのである。
【００１６】
また、上記本例の堀ごたつにおける炉箱１内にヒータを配置させる施工にあっては、まず、炉箱１の底面１ａの隅部に配設した下枠材２によって明確にされた配置位置に底面用ヒータ５や側面用ヒータ６を配置させるものであり、つまり底面用ヒータ５や側面用ヒータ６の位置決めを伴う配置を容易に行わせることができるといった利点がある。また、上記位置決めが為されて配置された側面用ヒータ６にあっては、その下端が下枠材２の縦片３の外周面３ｂと炉箱１の側面１ｂとの間に嵌め込まれているから、位置決めが為されて立設した状態で仮止めが行われるといった利点がある。更に、上記仮止めして立設した状態の側面用ヒータ６はその上端を上枠材７によって保持させることができ、仮固定状態の側面用ヒータ６においても完全にぐらつきなく配置されるものであり、これにより、仮止めした状態の側面用ヒータ６を本固定する際には、従来技術にあるように施工者に部材を押さえた状態での固着具１７の打入作業を課するといったことはなく、つまり、施工者への負担は軽減されていて、施工性の向上が図られているものである。更に言うと、従来技術では側面用ヒータ６の上下の２箇所で行われた釘等の固着具１７の打入作業も、本例の堀ごたつでは側面用ヒータ６の上枠材７への固定のための１箇所に減らすことも為されているから、これによっても施工者への負担が軽減され、施工性の向上が図られているのである。
【００１７】
なお、下枠材２及び上枠材７はそもそも上下に反転させると同形状になることから、同部材の矩形枠体を上下反転させて下枠材２及び上枠材７の両方に使用させることができ、部品点数の低下を図ることができて好ましいものである。
【００１８】
【発明の効果】
上記のように本発明の請求項１記載の堀ごたつにあっては、上面視矩形状の底面における四方の外周縁からそれぞれ側面を立設させて上方に開口した函状に炉箱を形成すると共に、縦片と縦片の下端を外方に屈曲させた横片とで断面Ｌ形アングル状に下枠材を形成し、横片の外端を炉箱の側面に当接させるようにして上記下枠材を上記炉箱の底面における隅部に亘って配置したので、上記下枠材を所定位置（上記炉箱の底面における隅部）に間違いなく容易に配置できるものであり、また、四方を囲む下枠材の縦片の内周面内に嵌め込ませて底面用ヒータを炉箱の底面上に配置し、下枠材の縦片の外周面と炉箱の側面との間に嵌め込ませると共に下枠材の横片上に載置させて側面用ヒータを炉箱の側面に沿わせて配置したので、底面用ヒータや側面用ヒータを炉箱内の所定位置に配置するにあたり、炉箱の底面の隅部に配設した下枠材によって、炉箱の底面における底面用ヒータや側面用ヒータの配置スペースを明確にすることができて、底面用ヒータや側面用ヒータの位置決めを伴う配置を容易に行わせることができるものであり、また、上記位置決めを伴って配置した側面用ヒータにあっては、その下端が下枠材の縦片の外周面と炉箱の側面との間に嵌め込まれて、炉箱の側面に沿わせて立設した状態で側面用ヒータは仮止めが為されるものであり、これによって側面用ヒータの本固定時における施工者に負担となる側面用ヒータを手で支えるといった作業を無くすることができ、堀ごたつの施工性の向上が図られているのであり、更に、炉箱の底面に配設した底面用ヒータは下枠材の縦枠の内周面間に配置されると共に、炉箱の側面に配設した側面用ヒータは下枠材の縦枠の外周面と炉箱の側面との間に配置されたことから、その構造上、底面用ヒータは側面用ヒータと上下方向に重ならないように配置されており、つまり底面用ヒータに故障等が生じて側面用ヒータを取り替える際には底面用ヒータは側面用ヒータの取外しなしに単体で取り外すことができ、底面用ヒータの取外しにかかる施工性の向上が図られているのである。
【００１９】
また、本発明の請求項２記載の堀ごたつにあっては、請求項１の効果に加えて、側面用ヒータの上端を保持する上枠材を炉箱の側面に配設したので、下枠材の縦片の外周面と炉箱の側面との間に嵌め込ませて立設した側面用ヒータの上端を上枠材によって保持させることで、この立設した側面用ヒータのぐらつきが防止され、高い取付強度を備えさせることができるものであり、これにより堀ごたつの施工性の更なる向上が図られるのである。
【００２０】
また、本発明の請求項３記載の堀ごたつにあっては、請求項２の効果に加えて、側面用ヒータ及び上枠材の内周面を下枠材のの上方位置に位置させたので、炉箱内に底面用及び側面用ヒータを配設したときには、下枠材の内面に配置された底面用ヒータの上方位置には側面用ヒータや上枠材を位置させないようにでき、炉箱内から底面用ヒータを取り外すときには、側面用ヒータや上枠材が取り外した底面用ヒータを干渉させないようにでき、底面用ヒータの取り替えがスムーズに行え、ヒータの取り替えにかかる施工性の更なる向上が図られるのである。
【図面の簡単な説明】
【図１】本発明の実施の形態の例を示す側面断面図である。
【図２】（ａ）は下枠材の斜視図であり、（ｂ）は下枠材を炉箱内に配設した状態を示す斜視図である。
【図３】同上の分解斜視図である。
【図４】従来技術の堀ごたつを示す分解斜視図である。
【図５】同上のヒータを炉箱内に配設する施工を説明するものであり、（ａ）は底面用ヒータを炉箱内に配設した状態の側面断面図であり、（ｂ）は側面用ヒータを炉箱内に配設した状態の側面断面図である。
【符号の説明】
１  炉箱
２  下枠材
３  縦片
４  横片
５  底面用ヒータ
６  側面用ヒータ
７  上枠材
８  縦片
９  横片
【図１】
0003731543.tif 000002
【図２】
0003731543.tif 000003
【図３】
0003731543.tif 000004
【図４】
0003731543.tif 000005
【図５】
0003731543.tif 000006